【手続補正書】
【提出日】平成16年10月12日(2004.10.12)
【手続補正１】
【補正対象書類名】明細書
【補正対象項目名】発明の名称
【補正方法】変更
【補正の内容】
【発明の名称】電気光学装置、照明装置及び電子機器
【手続補正２】
【補正対象書類名】明細書
【補正対象項目名】特許請求の範囲
【補正方法】変更
【補正の内容】
【特許請求の範囲】
【請求項１】
第１の基板と、
前記第１の基板と対向する第２の基板と、
前記第１の基板と前記第２の基板に挟持された電気光学物質と、
前記第２の基板に対向し、前記電気光学物質に対し光を出射するガラス導光板と、
前記ガラス導光板に隣接したＵＶ光源と
を具備することを特徴とする電気光学装置。
【請求項２】
被照明部材に対し光を出射するガラス導光板と、
前記ガラス導光板に隣接したＵＶ光源と
を具備することを特徴とする照明装置。
【請求項３】
前記ガラス導光板の前記ＵＶ光源に対向する面に隣接し光を出射する光出射面に蛍光体を塗布することを特徴とする請求項１に記載の照明装置。
【請求項４】
前記ガラス導光板の前記光出射面に対向する光学シートを具備することを特徴とする請求項１または請求項２に記載の照明装置。
【請求項５】
前記ガラス導光板の前記光出射面の反対面に対向する第１の反射板を具備することを特徴とする請求項１乃至請求項４に記載の照明装置。
【請求項６】
前記第１の反射板は前記ＵＶ光源側に向かうにつれて多く設けられたスリットを具備することを特徴とする請求項５に記載の照明装置。
【請求項７】
前記第１の反射板の前記ガラス導光板と対向する面の反対面側にさらに第２の反射板を具備することを特徴とする請求項５または請求項６に記載の照明装置。
【請求項８】
前記ガラス導光板の中にはバブルを具備することを特徴とする請求項２乃至請求項７に記載の照明装置。
【請求項９】
前記ガラス導光板は前記第１の反射板と対向する面をフロスト加工してなることを特徴とする請求項２乃至請求項８のいずれかに記載の照明装置。
【請求項１０】
請求項１に記載である電気光学装置を有することを特徴とする電子機器。
【手続補正３】
【補正対象書類名】明細書
【補正対象項目名】０００１
【補正方法】変更
【補正の内容】
【０００１】
【発明の属する技術分野】
本発明は、電気光学装置、照明装置及び電子機器に関する。
【手続補正４】
【補正対象書類名】明細書
【補正対象項目名】０００７
【補正方法】変更
【補正の内容】
【０００７】
【課題を解決するための手段】
本発明の電気光学装置は、第１の基板と、前記第１の基板と対向する第２の基板と、前記第１の基板と前記第２の基板に挟持された電気光学物質と、前記第２の基板に対向し、前記電気光学物質に対し光を出射するガラス導光板と、前記ガラス導光板に隣接したＵＶ光源とを具備することを特徴とする。
【手続補正５】
【補正対象書類名】明細書
【補正対象項目名】００１０
【補正方法】変更
【補正の内容】
【００１０】
本発明の一の形態によれば、前記ガラス導光板の前記第２のガラス基板の隣接面に蛍光体を塗布することが好ましい。
【手続補正６】
【補正対象書類名】明細書
【補正対象項目名】００１２
【補正方法】変更
【補正の内容】
【００１２】
本発明の一の形態によれば、前記第２の基板と前記蛍光体の間には光学シートを介することが好ましい。
【手続補正７】
【補正対象書類名】明細書
【補正対象項目名】００１４
【補正方法】変更
【補正の内容】
【００１４】
本発明の一の形態によれば、前記ガラス導光板の前記蛍光体を塗布した面に対向する面の外側に第１の反射板を具備することが好ましい。
【手続補正８】
【補正対象書類名】明細書
【補正対象項目名】００１６
【補正方法】変更
【補正の内容】
【００１６】
本発明の一の形態によれば、前記第１の反射板は前記ＵＶ光源側に向かうにつれてスリットがより多く具備されていることが好ましい。
【手続補正９】
【補正対象書類名】明細書
【補正対象項目名】００１８
【補正方法】変更
【補正の内容】
【００１８】
本発明の一の形態によれば、前記第１の反射板には、前記ガラス導光板と隣接する面とは対向する面側にさらに第２の反射板を具備することが好ましい。
【手続補正１０】
【補正対象書類名】明細書
【補正対象項目名】００２１
【補正方法】変更
【補正の内容】
【００２１】
本発明の一の形態によれば、前記ガラス導光板の中にはバブルが具備されていることが好ましい。
【手続補正１１】
【補正対象書類名】明細書
【補正対象項目名】００２３
【補正方法】変更
【補正の内容】
【００２３】
本発明の一の形態によれば、前記ガラス導光板は前記第１の反射板と接触する面をフロスト加工することが好ましい。
【手続補正１２】
【補正対象書類名】明細書
【補正対象項目名】００２５
【補正方法】変更
【補正の内容】
【００２５】
本発明の液晶表示装置は、第１のガラス基板と、前記第１のガラス基板と対向する位置に配置された第２のガラス基板と、前記第１のガラス基板と前記第２のガラス基板に挟持された液晶と、前記第２のガラス基板に隣接し、前記液晶に対し光を出射するガラス導光板と、前記ガラス導光板の導光領域に隣接したＵＶ光源とを具備することが好ましい。
【手続補正１３】
【補正対象書類名】明細書
【補正対象項目名】００２８
【補正方法】変更
【補正の内容】
【００２８】
本発明の一の形態によれば、前記ガラス導光板の前記第２のガラス基板の隣接面に蛍光体を塗布することが好ましい。
【手続補正１４】
【補正対象書類名】明細書
【補正対象項目名】００３０
【補正方法】変更
【補正の内容】
【００３０】
本発明の一の形態によれば、前記第２のガラス基板と前記蛍光体の間には光学シートを介することが好ましい。
【手続補正１５】
【補正対象書類名】明細書
【補正対象項目名】００３２
【補正方法】変更
【補正の内容】
【００３２】
本発明の一の形態によれば、前記ガラス導光板の前記蛍光体を塗布した面に対向する面の外側に第１の反射板を具備することが好ましい。
【手続補正１６】
【補正対象書類名】明細書
【補正対象項目名】００３４
【補正方法】変更
【補正の内容】
【００３４】
本発明の一の形態によれば、前記第１の反射板は前記ＵＶ光源側に向かうにつれてスリットがより多く具備されていることが好ましい。
【手続補正１７】
【補正対象書類名】明細書
【補正対象項目名】００３６
【補正方法】変更
【補正の内容】
【００３６】
本発明の一の形態によれば、前記第１の反射板には、前記ガラス導光板と隣接する面とは対向する面側にさらに第２の反射板を具備することが好ましい。
【手続補正１８】
【補正対象書類名】明細書
【補正対象項目名】００３９
【補正方法】変更
【補正の内容】
【００３９】
本発明の一の形態によれば、前記ガラス導光板の中にはバブルが具備されていることが好ましい。
【手続補正１９】
【補正対象書類名】明細書
【補正対象項目名】００４１
【補正方法】変更
【補正の内容】
【００４１】
本発明の一の形態によれば、前記ガラス導光板は前記第１の反射板と接触する面をフロスト加工することが好ましい。
【手続補正２０】
【補正対象書類名】明細書
【補正対象項目名】００４３
【補正方法】変更
【補正の内容】
【００４３】
本発明の照明装置は、被照明部材に対し光を出射するガラス導光板と、前記ガラス導光板に隣接したＵＶ光源とを具備することを特徴とする。
【手続補正２１】
【補正対象書類名】明細書
【補正対象項目名】００４６
【補正方法】変更
【補正の内容】
【００４６】
本発明の一の形態によれば、前記ガラス導光板の前記ＵＶ光源に対向する面に隣接し光を出射する光出射面に蛍光体を塗布することを特徴とする。
【手続補正２２】
【補正対象書類名】明細書
【補正対象項目名】００４８
【補正方法】変更
【補正の内容】
【００４８】
本発明の一の形態によれば、前記ガラス導光板の前記光出射面に対向する光学シートを具備することを特徴とする。
【手続補正２３】
【補正対象書類名】明細書
【補正対象項目名】００５０
【補正方法】変更
【補正の内容】
【００５０】
本発明の一の形態によれば、前記ガラス導光板の前記光出射面の反対面に対向する第１の反射板を具備することを特徴とする。
【手続補正２４】
【補正対象書類名】明細書
【補正対象項目名】００５２
【補正方法】変更
【補正の内容】
【００５２】
本発明の一の形態によれば、前記第１の反射板は前記ＵＶ光源側に向かうにつれて多く設けられたスリットを具備することを特徴とする。
【手続補正２５】
【補正対象書類名】明細書
【補正対象項目名】００５４
【補正方法】変更
【補正の内容】
【００５４】
本発明の一の形態によれば、前記第１の反射板の前記ガラス導光板と対向する面の反対面側にさらに第２の反射板を具備することを特徴とする。
【手続補正２６】
【補正対象書類名】明細書
【補正対象項目名】００５７
【補正方法】変更
【補正の内容】
【００５７】
本発明の一の形態によれば、前記ガラス導光板の中にはバブルを具備することを特徴とする。
【手続補正２７】
【補正対象書類名】明細書
【補正対象項目名】００５９
【補正方法】変更
【補正の内容】
【００５９】
本発明の一の形態によれば、前記ガラス導光板は前記第１の反射板と対向する面をフロスト加工してなることを特徴とする。
【手続補正２８】
【補正対象書類名】明細書
【補正対象項目名】００６１
【補正方法】変更
【補正の内容】
【００６１】
本発明の照明装置の製造方法は、被照明部材に対し光を出射するガラス導光板を配置し、ＵＶ光源を前記ガラス導光板の導光領域に隣接して配置することが好ましい。
【手続補正２９】
【補正対象書類名】明細書
【補正対象項目名】００６５
【補正方法】変更
【補正の内容】
【００６５】
本発明の一の形態によれば、前記蛍光体の外側には光学シートをさらに具備することが好ましい。
【手続補正３０】
【補正対象書類名】明細書
【補正対象項目名】００６７
【補正方法】変更
【補正の内容】
【００６７】
本発明の一の形態によれば、前記ガラス導光板の前記蛍光体を塗布した面に対向する面の外側に第１の反射板を具備することが好ましい。
【手続補正３１】
【補正対象書類名】明細書
【補正対象項目名】００７１
【補正方法】変更
【補正の内容】
【００７１】
本発明の一の形態によれば、前記第１の反射板には、前記ガラス導光板と隣接する面とは対向する面側にさらに第２の反射板を具備することが好ましい。
【手続補正３２】
【補正対象書類名】明細書
【補正対象項目名】００７３
【補正方法】変更
【補正の内容】
【００７３】
本発明の一の形態によれば、前記ガラス導光板の中にはバブルが具備されていることが好ましい。
【手続補正３３】
【補正対象書類名】明細書
【補正対象項目名】００７５
【補正方法】変更
【補正の内容】
【００７５】
本発明の一の形態によれば、前記ガラス導光板は前記第１の反射板と接触する面をフロスト加工する工程を具備することが好ましい。